(57)【要約】【課題】測定機器からの複数の測定データが必要な診断において、必要な測定をユーザがより容易に実施できるようにする。【解決手段】生体情報を測定する生体測定装置２０ａ〜２０ｄとの間で通信を行う短距離無線通信部１０３と、短距離無線通信部１０３を介して生体測定装置２０ａ〜２０ｄに制御信号を出力することによって、生体測定装置２０ａ〜２０ｄの測定動作を制御する測定制御部１１４と、所定の診断に必要な複数の測定項目が示された測定項目情報を記憶する診断条件記憶部１１３とを備え、測定制御部１１４は、診断条件記憶部１１３が記憶する測定項目情報を参照して、上記複数の測定項目について測定結果が得られるように、１または複数の生体測定装置２０ａ〜２０ｄの測定動作を制御する。【選択図】図１
2008006001.tif 000002
【特許請求の範囲】
【請求項１】
生体情報を測定する測定機器との間で通信を行う第１通信手段と、
上記第１通信手段を介して上記測定機器に制御信号を出力することによって、上記測定機器の測定動作を制御する測定制御手段と、
所定の診断に必要な複数の測定項目が示された測定項目情報を記憶する測定項目記憶部とを備え、
上記測定制御手段は、上記測定項目記憶部が記憶する測定項目情報を参照して、上記複数の測定項目について測定結果が得られるように、１または複数の上記測定機器の測定動作を制御することを特徴とする制御装置。
【請求項２】
前記第１通信手段は、前記測定機器との間で無線通信を行うことを特徴とする請求項１に記載の制御装置。
【請求項３】
前記第１通信手段を介して前記測定機器から測定結果を取得する測定結果取得手段をさらに備え、
前記測定制御手段は、上記測定結果取得手段によって測定結果が得られたか否かに応じて、前記測定機器を制御することを特徴とする請求項１または２に記載の制御装置。
【請求項４】
前記第１通信手段を介して前記測定機器から測定結果を取得する測定結果取得手段をさらに備え、
前記測定制御手段は、上記測定結果取得手段によって取得された測定結果に基づいて、前記測定機器を制御することを特徴とする請求項１または２に記載の制御装置。
【請求項５】
上記複数の測定項目の測定順序が示された測定手順情報を記憶する測定手順記憶部をさらに備え、
前記測定制御手段は、上記測定手順記憶部が記憶する測定順序で前記複数の測定結果が得られるように、前記測定機器の測定動作を制御することを特徴とする請求項１〜４のいずれか１項に記載の制御装置。
【請求項６】
前記測定機器の測定動作の制御に必要な身体情報または個人情報である診断条件を記憶する診断条件記憶部をさらに備え、
前記測定制御手段は、前記診断条件記憶部に記憶された上記診断条件を参照して、上記測定機器の測定動作を制御することを特徴とする請求項１〜５のいずれか１項に記載の制御装置。
【請求項７】
前記条件記憶部は、複数の前記測定機器の個々に応じた前記診断条件を、複数の上記測定機器の個々を特定する指標に対応付けて記憶していることを特徴とする請求項１〜６のいずれか１項に記載の制御装置。
【請求項８】
前記測定機器による測定の案内の情報を提示する提示手段をさらに備えることを特徴とする請求項１〜７のいずれか１項に記載の制御装置。
【請求項９】
前記提示手段は、前記測定の案内の情報として少なくとも前記測定機器の操作方法の情報、または上記測定機器での測定に必要なユーザの行動を促す情報のいずれかを提示することを特徴とする請求項８に記載の制御装置。
【請求項１０】
外部のサーバに対して通信可能な第２通信手段をさらに備え、前記測定結果取得手段によって取得した測定結果を、上記第２通信手段を介して上記サーバへ送信することを特徴とする請求項１〜９のいずれか１項に記載の制御装置。
【請求項１１】
外部のサーバに対して通信可能な第２通信手段をさらに備え、前記診断条件または前記測定手順情報を上記記第２の通信手段を介して上記サーバから取得することを特徴とする請求項６〜１０のいずれか１項に記載の制御装置。
【請求項１２】
複数の上記測定機器から上記測定結果取得手段によって取得した測定結果を、前記第２通信手段を介して前記サーバに送信し、
上記サーバにて上記測定結果に基づいて前記診断を行って得られた診断結果を、上記第２通信手段を介して上記サーバから受信することを特徴とする請求項１０または１１に記載の制御装置。
【請求項１３】
複数の上記測定機器から上記測定結果取得手段によって取得した測定結果を記憶する測定結果記憶部と、
上記測定結果記憶部に記憶されている複数の上記測定機器から取得した測定結果に基づいて、前記診断を行う診断手段とをさらに備えることを特徴とする請求項１〜１２のいずれか１項に記載の制御装置。
【請求項１４】
前記診断手段にて前記測定結果に基づいて診断を行って得られた診断結果に応じて必要となる測定手順情報を、前記第２通信手段を介して前記サーバから受信することを特徴とする請求項１３に記載の制御装置。
【請求項１５】
前記測定結果記憶部に記憶されている測定結果の、前記診断での使用期限の指標である期限情報を記憶する期限記憶部をさらに備え、
前記測定制御手段は、上記診断を行う場合に、上記期限記憶部に記憶されている上記期限情報に基づいて、新たに前記測定機器から測定結果を取得することによって上記測定結果記憶部に記憶されている測定結果を更新するか否かの判定を行うことを特徴とする請求項１３または１４に記載の制御装置。
【請求項１６】
生体情報を測定する１または複数の測定機器と、
請求項１１〜１５のいずれか１項に記載の制御装置とを備えることを特徴とする診断システム。
【請求項１７】
請求項１〜１５のいずれか１項に記載の制御装置の備える前記各手段としてコンピュータを動作させるプログラム。
【請求項１８】
請求項１７に記載のプログラムを記録したコンピュータ読取可能な記録媒体。
【請求項１９】
第１通信手段によって、生体情報を測定する測定機器との間で通信を行う第１通信工程と、
測定制御手段によって、上記第１通信手段を介して上記測定機器に制御信号を出力することにより、上記測定機器の測定動作を制御する測定制御工程とを含み、
上記測定制御工程で、所定の診断に必要な複数の測定項目が示された測定項目情報を記憶する測定項目記憶部の上記測定項目情報を参照して、上記複数の測定項目について測定結果が得られるように、１または複数の上記測定機器の測定動作を制御することを特徴とする制御装置における制御方法。
【発明の詳細な説明】
【技術分野】
【０００１】
本発明は、各種健康機器ならびに医療機器などの測定機器を制御して当該測定機器から複数のデータを得る制御装置、そのプログラムおよび該プログラムを記録したコンピュータ読取り可能な記録媒体、診断システムならびに制御装置における制御方法に関するものである。
【背景技術】
【０００２】
近年、社会的に健康意識が高まってきている。それに伴い、歩数計、血圧計、脈波計、体組成計、体温計、および心電計などの各種健康機器ならびに医療機器が市販され、各家庭に浸透してきている。従って、病院などの医療機関に行かなくても、ある程度の診断を家庭内で行うことが可能となってきている。また、上記各種健康機器ならびに医療機器が各家庭に浸透してきていることから、上記各種健康機器ならびに医療機器を利用して在宅医療および在宅診断が容易に行えるようになることが将来的に望ましいと言える。一方、家庭内に限らず、医療機関における高度または簡便な医療機器等についても、専門の操作員が各患者に即した設定操作を行ったり、患者に案内および指導を行ったりしなくても、各患者が容易に所定の診断に応じた測定を自主的に行うことができるようになることが将来的に望ましいと言える。
【０００３】
このような状況を背景に、例えば特許文献１では、血圧計および歩数計などの機能を有した腕時計から、携帯電話を介して測定データを収集するネット健康管理システムが開示されている。また、例えば特許文献２では、一般家庭内の健康機器から測定データを収集し、病院および各種医療機関などに転送する在宅健康管理システムが開示されている。
【特許文献１】特開２００５−３４５４７号公報（平成１７年２月１０日公開）
【特許文献２】特開平９−１１４８８７号公報（平成９年５月２日公開）
【発明の開示】
【発明が解決しようとする課題】
【０００４】
しかしながら、特許文献１または特許文献２に開示されているいずれのシステムでも、１または複数の測定機器からの複数の測定データが診断に必要な場合、ユーザが測定機器を用いてどの測定を行えばよいのか等の判断を行う必要が生じる。よって、測定機器からの複数の測定データが診断に必要な場合には、ユーザにとって測定が煩雑なものになってしまう問題点があった。つまり、測定機器からの複数の測定データが診断に必要な場合、必要な測定をユーザが容易に行うことができないという問題点があった。
【０００５】
本発明は、上記従来の問題点に鑑みなされたものであって、その目的は、複数の測定機器からの測定データが必要な診断において、必要な測定をユーザがより容易に実施できるようにする制御装置、そのプログラムおよび該プログラムを記録したコンピュータ読取り可能な記録媒体、診断システムならびに制御装置における制御方法を提供することにある。
【課題を解決するための手段】
【０００６】
本発明の制御装置は、上記課題を解決するために、生体情報を測定する測定機器との間で通信を行う第１通信手段と、上記第１通信手段を介して上記測定機器に制御信号を出力することによって、上記測定機器の測定動作を制御する測定制御手段と、所定の診断に必要な複数の測定項目が示された測定項目情報を記憶する測定項目記憶部とを備え、上記測定制御手段は、上記測定項目記憶部が記憶する測定項目情報を参照して、上記複数の測定項目について測定結果が得られるように、１または複数の上記測定機器の測定動作を制御することを特徴としている。
【０００７】
また、本発明の制御装置における制御方法は、上記課題を解決するために、第１通信手段によって、生体情報を測定する測定機器との間で通信を行う第１通信工程と、測定制御手段によって、上記第１通信手段を介して上記測定機器に制御信号を出力することにより、上記測定機器の測定動作を制御する測定制御工程とを含み、上記測定制御工程で、所定の診断に必要な複数の測定項目が示された測定項目情報を記憶する測定項目記憶部の上記測定項目情報を参照して、上記複数の測定項目について測定結果が得られるように、１または複数の上記測定機器の測定動作を制御することを特徴としている。
【０００８】
上記の発明によれば、所定の診断に必要な複数の測定項目について測定結果が得られるように、測定項目記憶部が記憶する測定項目情報を測定制御手段が参照し、第１通信手段を介して測定機器に制御信号を出力することによって１または複数の測定機器の測定動作を制御するので、ユーザが上記診断のために測定機器で測定を行う場合に、上記診断に必要な測定機器をその都度選ぶ手間を省くことができる。その結果、複数の測定機器からの測定データが必要な診断において、必要な測定をユーザがより容易に実施できるようになる。
【０００９】
また、本発明の制御装置では、前記第１通信手段は、前記測定機器との間で無線通信を行うことが好ましい。
【００１０】
これにより、制御装置と測定機器との間での通信を有線通信によって行わなくてもよくなるので、制御装置を持ち運ぶ場合に有線通信に用いるケーブルなどが邪魔にならなくなる。従って、ユーザにとっての制御装置の利便性を向上させることができる。
【００１１】
また、本発明の制御装置では、前記第１通信手段を介して前記測定機器から測定結果を取得する測定結果取得手段をさらに備え、前記測定制御手段は、上記測定結果取得手段によって測定結果が得られたか否かに応じて、前記測定機器を制御することが好ましい。
【００１２】
これにより、測定結果取得手段で測定結果が得られたか否かに応じて測定機器を制御することが可能になるので、例えば測定機器から測定結果を取得して測定が終了した場合に、測定機器の電源をオフにするといったことが可能になる。従って、ユーザにとっての制御装置の利便性を向上させることができる。
【００１３】
また、本発明の制御装置では、前記第１通信手段を介して前記測定機器から測定結果を取得する測定結果取得手段をさらに備え、前記測定制御手段は、前記測定結果取得手段によって取得された測定結果に基づいて、前記測定機器を制御することが好ましい。
【００１４】
これにより、測定結果取得手段で得られた測定結果に基づいて測定機器を制御することが可能になるので、例えば測定機器から取得して測定結果が別の測定機器での測定の制御に必要な場合に、上記他の測定機器に測定結果を渡すといったことが可能になる。従って、ユーザにとっての制御装置の利便性を向上させることができる。具体的には体重計で測定した体重のデータが体脂肪計の測定に必要な場合に、上記体重のデータを上記体脂肪計に渡すなどの例がある。
【００１５】
また、本発明の制御装置では、上記複数の測定項目の測定順序が示された測定手順情報を記憶する測定手順記憶部をさらに備え、前記測定制御手段は、上記測定手順記憶部が記憶する測定順序で前記複数の測定結果が得られるように、前記測定機器の測定動作を制御することが好ましい。
【００１６】
これにより、制御装置が診断手順記憶部に記憶された複数の測定項目の測定順序に基づいて、複数の測定機器の測定動作を制御することができるようになる。よって、複数の測定機器から特定の順序で測定を行う必要がある場合に、ユーザがその都度測定機器を選んで測定を行う手間を省くことができる。従って、診断に必要な測定をユーザがより容易に実施できるようになる。
【００１７】
また、本発明の制御装置では、前記測定機器の測定動作の制御に必要な身体情報または個人情報である診断条件を記憶する診断条件記憶部をさらに備え、前記測定制御手段は、前記診断条件記憶部に記憶された上記診断条件を参照して、上記測定機器の測定動作を制御することが好ましい。
【００１８】
これにより、制御装置が測定機器の測定動作の制御に必要な身体情報または個人情報である診断条件に基づいて測定機器の測定動作を制御することが可能になる。
【００１９】
また、本発明の制御装置では、前記条件記憶部は、複数の前記測定機器の個々に応じた前記診断条件を、複数の上記測定機器の個々を特定する指標に対応付けて記憶していることが好ましい。
【００２０】
これにより、制御装置が複数の測定機器の個々を特定する指標をもとに複数の測定機器の個々を特定し、測定機器の個々に応じた診断条件に基づいて測定機器の測定動作を制御することが可能になる。
【００２１】
また、本発明の制御装置では、前記測定機器による測定の案内の情報を提示する提示手段をさらに備えることが好ましい。
【００２２】
これにより、提示手段により提示された測定機器による測定の案内の情報をもとにして、ユーザが測定機器による測定を行うことができるので、測定機器による測定の案内の情報を提示されていない場合に比べて、測定機器による測定をユーザが行いやすくなる。従って、ユーザにとっての制御装置の利便性を向上させることができる。
【００２３】
また、本発明の制御装置では、前記提示手段は、前記測定の案内の情報として少なくとも前記測定機器の操作方法の情報、または上記測定機器での測定に必要なユーザの行動を促す情報のいずれかを提示することが好ましい。
【００２４】
これにより、提示手段に、測定機器の操作方法の情報または測定機器での測定に必要なユーザの行動を促す情報のいずれかが提示されるので、ユーザは提示された情報をもとに、少なくとも測定機器の操作または測定機器での測定のいずれかを容易に行うことができる。従って、ユーザにとっての制御装置の利便性を向上させることができる。
【００２５】
また、本発明の制御装置では、外部のサーバに対して通信可能な第２通信手段をさらに備え、前記測定結果取得手段によって取得した測定結果を、上記第２通信手段を介して上記サーバへ送信することが好ましい。
【００２６】
これにより、制御装置で取得した測定結果を、第２通信手段を介して外部のサーバに送信することができるので、外部のサーバで上記測定結果に基づいた診断などを行わせることが可能になる。
【００２７】
また、本発明の制御装置では、外部のサーバに対して通信可能な第２通信手段をさらに備え、前記診断条件または前記測定手順情報を上記記第２の通信手段を介して上記サーバから取得することが好ましい。
【００２８】
これにより、第２通信手段を介して外部のサーバから測定機器の測定動作の制御に必要な条件または測定機器による測定の手順を取得することが可能になるので、制御装置の内部に格納されていない上記条件または上記測定の手順を制御装置が取得することが可能になる。従って、制御装置の内部に格納されていない上記条件または上記測定の手順に基づいて、測定機器の測定動作を測定制御手段によって制御することが可能になる。
【００２９】
また、本発明の制御装置では、複数の上記測定機器から上記測定結果取得手段によって取得した測定結果を、前記第２通信手段を介して前記サーバに送信し、上記サーバにて上記測定結果に基づいて前記診断を行って得られた診断結果を、上記第２通信手段を介して上記サーバから受信することが好ましい。
【００３０】
これにより、制御装置で取得した測定結果を、第２通信手段を介して外部のサーバに送信して、外部のサーバで上記測定結果に基づいた診断の結果得られた診断結果を受信することが可能になる。
【００３１】
また、本発明の制御装置では、複数の上記測定機器から上記測定結果取得手段によって取得した測定結果を記憶する測定結果記憶部と、上記測定結果記憶部に記憶されている複数の上記測定機器から取得した測定結果に基づいて、前記診断を行う診断手段とをさらに備えることが好ましい。
【００３２】
これにより、測定結果記憶部に記憶されている複数の測定機器から取得した測定結果に基づいて診断を行うことが可能になる。
【００３３】
また、本発明の制御装置では、前記診断手段にて前記測定結果に基づいて診断を行って得られた診断結果に応じて必要となる測定手順情報を、前記第２通信手段を介して前記サーバから受信することが好ましい。
【００３４】
これにより、診断手段で測定結果に基づいて診断して得られた測定結果に応じて新たに必要になった測定手順情報が、測定手順記憶部になかった場合でも、第２通信手段を介して外部のサーバに送信して、外部のサーバから上記新たに必要になった測定手順情報を受信することが可能になる。
【００３５】
また、本発明の制御装置では、前記測定結果記憶部に記憶されている測定結果の、前記診断での使用期限の指標である期限情報を記憶する期限記憶部をさらに備え、前記測定制御手段は、上記診断を行う場合に、上記期限記憶部に記憶されている上記期限情報に基づいて、新たに前記測定機器から測定結果を取得することによって上記測定結果記憶部に記憶されている測定結果を更新するか否かの判定を行うことが好ましい。
【００３６】
これにより、期限記憶部に記憶されている期限情報に基づいて、新たに測定機器から測定結果を取得することによって測定結果記憶部に記憶されている測定結果を更新するか否かの判定を行うので、測定結果が診断に使用可能な期限内である場合に、新たに測定機器から測定結果を取得せずに、測定結果記憶部に記憶されている使用期限内の測定結果を診断に用いるようにすることが可能になる。よって、測定結果が使用期限内であった場合には、新たに測定機器から測定結果を取得しないようにして測定の手間を省くことが可能になる。従って、制御装置のユーザにとっての利便性を向上させることが可能になる。
【００３７】
本発明の診断システムは、上記課題を解決するために、生体情報を測定する１または複数の測定機器と、前記のいずれかの制御装置とを備えることを特徴としている。
【００３８】
これにより、測定機器からの複数の測定データが必要な診断において、必要な測定をユーザがより容易に実施できるようになる。
【００３９】
ところで、上記制御装置は、ハードウェアで実現してもよいし、プログラムをコンピュータに実行させることによって実現してもよい。具体的には、本発明に係るプログラムは、制御装置としてコンピュータを動作させるプログラムであり、本発明に係る記録媒体には、当該プログラムが記録されている。
【００４０】
これらのプログラムがコンピュータによって実行されると、当該コンピュータは、制御装置として動作する。したがって、上記制御装置と同様に、測定機器からの複数の測定データが必要な診断において、必要な測定をユーザがより容易に実施することが可能になる。
【発明の効果】
【００４１】
本発明によれば、所定の診断に必要な複数の測定項目について測定結果が得られるように、測定項目記憶部が記憶する測定項目情報を測定制御手段が参照し、第１通信手段を介して複数の測定機器の測定動作を制御する。よって、ユーザが上記診断のために測定機器で測定を行う場合に、上記診断に必要な測定機器をその都度選ぶ手間を省くことができる。したがって、測定機器からの複数の測定データが必要な診断において、必要な測定をユーザがより容易に実施できるようにするという効果を奏する。
【発明を実施するための最良の形態】
【００４２】
本発明の一実施形態について図１ないし図１３に基づいて説明すれば、以下の通りである。なお、以下の説明に用いる図面は、同一の部材または同一の機能のものについては同一の符号を付してある。従って、それらについての詳細な説明は繰り返さない。
【００４３】
最初に、図２を用いて診断システム１の構成の概要について説明を行う。図２は、本実施の形態における診断システム１の概略的構成を示す図である。本実施の形態における診断システム１は、図２に示すように、診断装置（制御装置）１０、生体測定装置（測定機器）２０ａ〜２０ｄ、および外部サーバ３０を備えている。
【００４４】
まず、診断装置１０は、生体測定装置２０ａ〜２０ｄに対して、所定の測定を行うように適宜測定指示（制御信号）を出力して測定制御を行うと共に、生体測定装置２０ａ〜２０ｄによる測定結果を収集するものである。また、診断装置１０は、適宜ユーザに生体測定装置２０ａ〜２０ｄの使用方法および使用時期など（提示情報）の提示を行うものである。さらに、診断装置１０は、生体測定装置２０ａ〜２０ｄによる測定結果を収集して診断を行うものであってもよく、上記測定制御の内容の情報を外部サーバ３０から取得したり、生体測定装置２０ａ〜２０ｄから収集された測定結果を外部サーバ３０に送ったり、外部サーバ３０から、より詳細な診断を診断装置１０において行うための情報を取得したり、外部サーバ３０から、さらなる診断手順を受信したりするものであってもよい。なお、診断装置１０は携帯電話に適用されることが好ましい。これにより、診断装置１０がユーザによって常に携帯されやすくなるため、様々な局面において、宅内または宅外の生体測定装置２０ａ〜２０ｄと連携した動作を行うことができるようになる。
【００４５】
続いて、生体測定装置２０ａ〜２０ｄは、健康状態を始めとする生体の様々な状態を測定するものである。生体測定装置２０ａ〜２０ｄとしては、例えば歩数計、血圧計、脈波計、体組成計、体温計、および心電計などの各種健康機器ならびに医療機器がある。
【００４６】
そして、外部サーバ３０は、診断装置１０に対してネットワークを介して通信可能なサーバであって、診断装置１０からの要求に応じて情報を提供するものである。外部サーバ３０としては、例えば医療機関のサーバ、およびネット上で医療サービスや健康サービスの提供を行う食品会社、製薬会社、ならびにフィットネスクラブなどのサーバ等がある。また、外部サーバ３０は、診断装置１０によって生体測定装置２０ａ〜２０ｄから収集されて送られてきた測定結果に基づいて、より詳細な診断を行ったりすることもできるものである。
【００４７】
次に、図１を用いて診断装置１０の構成の概要について説明を行う。図１は本実施の形態における診断装置１０の構成を示す機能ブロック図である。上述したように、診断装置１０は携帯電話に適用されることが好ましいため、本実施の形態では、例として診断装置１０を携帯電話に適用した構成を示す。診断装置１０は、図１に示すように、診断制御部１０１、診断用情報記憶部１０２、短距離無線通信部（第１通信手段）１０３、外部装置制御部１０４、測定結果取得部（測定結果取得手段）１０５、広域無線通信部（第２通信手段）１０６、およびＵＩ部１０７を備えている。なお、携帯電話は広く既知であるため、携帯電話の機能を実現するためにのみ必要な構成についての記載は省略している。
【００４８】
まず、診断制御部１０１は、診断装置１０の全体的な診断に関する動作（診断動作）の制御、および生体測定装置２０ａ〜２０ｄから収集された測定結果に基づく診断を行うものである。診断制御部１０１は、測定制御部（測定制御手段）１１４および診断部（診断手段）１１５を備えている。測定制御部１１４は診断装置１０の全体的な診断に関する動作（診断動作）の制御を行うものである。そして、診断部１１５は生体測定装置２０ａ〜２０ｄから収集された測定結果に基づく診断を行うものである。なお、測定制御部１１４による制御については、各部材の説明を行いながら説明を行う。診断用情報記憶部１０２は、診断装置１０の診断動作で用いる各種情報の記憶を行うものであり、生体情報記憶部（測定結果記憶部）１１０、診断手順記憶部（測定項目記憶部）１１１、期限記憶部１１２、および診断条件記憶部１１３を備えている。生体情報記憶部１１０は、生体測定装置２０ａ〜２０ｄの設定に用いる生年月日、性別などの個人情報および、生体測定装置２０ａ〜２０ｄから取得された体重ならびに血圧など（身体情報）の測定結果を、生体情報として記憶するものである。また、診断手順記憶部１１１は、所定の診断を行うために必要な生体測定装置２０ａ〜２０ｄを制御する手順を記憶するものである。続いて、期限記憶部１１２は、生体情報記憶部１１０に記憶された生体情報の使用期限を記憶したものである。そして、診断条件記憶部１１３は、生体測定装置２０ａ〜２０ｄを制御する際に必要な条件を記憶するものである。
【００４９】
短距離無線通信部１０３は、診断装置１０が生体測定装置２０ａ〜２０ｄの制御を行ったり、生体測定装置２０ａ〜２０ｄから測定結果を取得したりするために用いる通信部である。また、短距離無線通信部１０３は、写真およびメモなどのデータ転送ならびに有価データの転送をすることも可能なものである。外部装置制御部１０４は、診断制御部１０１（測定制御部１１４）からの指示に従って、短距離無線通信部１０３を介して生体測定装置２０ａ〜２０ｄの制御を行うものである。測定結果取得部１０５は、生体測定装置２０ａ〜２０ｄから測定結果を、短距離無線通信部１０３を介して取得するものである。また、測定結果取得部１０５は、他にも広域無線通信部１０６を介して、外部サーバ３０からＣＴなどの高度な測定機器での測定結果なども取得可能なものである。
【００５０】
続いて、広域無線通信部１０６は、外部の機関等との通信を行うものである。例えば、広域無線通信部１０６は、診断制御部１０１（測定制御部１１４）からの指示に従って、外部サーバ３０から新しい診断手順（測定制御の内容の情報）を取得する場合に用いられるものである。また、広域無線通信部１０６は、生体測定装置２０ａ〜２０ｄから取得した測定結果を、外部サーバ３０に送信する場合に用いられるものでもある。さらに、広域無線通信部１０６は、広域無線通信部１０６を介して送信した上記測定結果に基づいて行なわれる外部サーバ３０での、より高度な診断の結果を取得する場合に用いられるものでもある。なお、広域無線通信部１０６は、本診断装置１０が適用された携帯電話での通話、メール送信、およびインターネット接続などでの通信において共通に使用されてもよい。なお、広域無線通信部１０６は、携帯電話網を介してのインターネット接続等を行う構成であってもよい。すなわち、広域無線通信部１０６は街中にある電波中継局を介して、キャリアの局へ接続し、さらに中継局やサーバの集合体であるインターネットに接続する構成であってもよい。
【００５１】
そして、ＵＩ（Ｕｓｅｒ  Ｉｎｔｅｒｆａｃｅ）部１０７は、診断装置１０に対するユーザからの操作の受け付け、および診断装置１０からのユーザに対する提示情報の提示を行うインターフェースである。ＵＩ部１０７は、上記提示を行うための提示部（提示手段）１０８と上記操作の受け付けを行うための操作部１０９とを備えている。提示部１０８は、携帯電話の液晶画面の表示部、および通話用ならびに呼び出し用のスピーカなどの音声出力部からなっている。また、操作部１０９は、携帯電話のテンキーなどといった入力用のボタン類、およびマイクなどの音声入力部からなっている。
【００５２】
次に、図３〜図６を用いて、診断用情報記憶部１０２に備えられている生体情報記憶部１１０、診断手順記憶部１１１、期限記憶部１１２、および診断条件記憶部１１３に格納（記憶）されている情報について説明を行う。図３は、生体情報記憶部１１０に記憶されている生体情報の一例を示した図である。図４は、期限記憶部１１２に記憶されている生体情報の使用期限の一例を示す図である。図５は、診断条件記憶部１１３に記憶されている診断条件の一例を示す図である。そして、図６は、診断手順記憶部１１１に記憶されている診断手順の一例を示す図である。
【００５３】
生体情報記憶部１１０には、上述したように生体測定装置２０ａ〜２０ｄの設定に用いる生年月日、性別などの個人情報および、生体測定装置２０ａ〜２０ｄから取得された体重ならびに血圧などの身体情報といった生体情報が記憶されている。生体情報記憶部１１０には、上記生体情報が、図３に示すように各項目ごとに「識別子」、「値」、および「更新日時」が対応づけられて記憶されている。なお、「識別子」は、各生体測定装置２０ａ〜２０ｄから共通に識別できるようにするための識別子である。また、「値」は文字列である。そして、「更新日時」は「値」の更新日時である。図３に示した例では、名前、生年月日、年齢、性別、身長、ウェスト、体重、体脂肪率、上下の血圧、体温、歩数、脈拍数、および尿糖値の各項目ごとに、「識別子」、「値」、および「更新日時」が対応づけられている。
【００５４】
また、期限記憶部１１２には、上述したように生体情報記憶部１１０に記憶された生体情報の使用期限の情報（期限情報）が記憶されている。期限記憶部１１２は、図４に示すように経時的に変化する、または経時的に変化する可能性のある生体情報について、目安となる使用期限を生体情報の各項目ごとに年齢によって定めている。例えば、図４に示すように、成長期に変化しやすい身長などは、１０〜２０歳では他の年齢に比べて使用期限を短く設定している。また、成人病に関連する上下の血圧、および尿糖値などは３０歳以上では、他の年齢に比べて使用期限を短く設定している。このように、年齢ごとでの生体情報の変化のしやすさ、および生体情報の必要性の違いに応じて生体情報の使用期限が設定され、期限記憶部１１２に記憶されている。
【００５５】
続いて、診断条件記憶部１１３には、上述したように生体測定装置２０ａ〜２０ｄを制御する際に必要な条件（診断条件）が記憶されている。上記生体測定装置２０ａ〜２０ｄを制御する際に必要な条件とは、少なくとも上記生体測定装置２０ａ〜２０ｄでの測定に必要な上記個人情報または上記身体情報を含むものである。具体的に説明すると、診断条件記憶部１１３は、図５に示すように、生体測定装置２０ａ〜２０ｄの種別を識別する種別ＩＤ（測定機器の個々を特定する指標）と、該生体測定装置２０ａ〜２０ｄが測定する測定対象の生体情報を識別する測定対象ＩＤと、該生体測定装置２０ａ〜２０ｄが測定に必要とする生体情報を識別する設定用情報ＩＤ（測定項目情報）とを対応付けて記憶している。例えば、図５に示すように、生体測定装置２０ａ〜２０ｄのうちの１つとしての体脂肪測定装置に対しては、測定対象の生体情報として体脂肪率を識別する測定対象ＩＤ「Ｂｏｄｙ＿ｆａｔ＿ｒａｔｉｏ」と測定に必要とする生体情報として体重、身長および年齢を識別する設定用情報ＩＤ「Ｗｅｉｇｈｔ」（測定項目）、「Ｈｅｉｇｈｔ」（測定項目）、および「Ａｇｅ」（測定項目）と体脂肪測定装置の種別ＩＤ「Ｂｏｄｙ＿ｆａｔ＿ｍｅｔｅｒ」とが対応付けられている。
【００５６】
そして、診断手順記憶部１１１には、上述したように所定の診断を行うために必要な生体測定装置２０ａ〜２０ｄを制御する手順が記憶されている。診断手順記憶部１１１は、図６に示すように、診断ごとに必要な測定項目の手順が記憶されている。診断としては、図６に示すように体力診断、メタボリックシンドローム診断、および定期（毎日）診断などがある。また、図６では、フローの概略を示しているが、実際は既知のＸＭＬ（ｅＸｔｅｎｓｉｂｌｅ  Ｍａｒｋｕｐ  Ｌａｎｇｕａｇｅ）などに制御構造を持たせた構造化言語などで記載を行う。なお、複数の生体測定装置２０ａ〜２０ｄのうちから１つを選ぶために、具体的には短距離無線通信部１０３で用いるプロトコルでの識別子（物理アドレス、ＩＰアドレス、論理名など）と各生体測定装置２０ａ〜２０ｄとを対応付けた登録テーブルを診断装置１０が参照することによって、複数の生体測定装置２０ａ〜２０ｄのうちから１つを選ぶことができるようになっている。
【００５７】
次に、診断システム１の動作フローの一例について図７を用いて説明を行う。図７は、診断システム１での動作フローの一例を示す図である。
【００５８】
まず、ステップＳ１では、診断装置１０がユーザに対して、診断の開始について問い合わせる案内を行う。診断の開始について問い合わせる案内については後に詳述する。ステップＳ２では、ユーザが診断の開始を了承した場合（ステップＳ２でＹｅｓ）には、ステップＳ３に移る。また、ユーザが診断の開始を了承しなかった場合（ステップＳ２でＮｏ）には、診断を行わずにフローを終了する。
【００５９】
ステップＳ３では、診断装置１０が、例えば生体測定装置２０ａでの測定について案内を行う。ステップＳ３では、生体測定装置２０ａの装着方法、および測定方法などの情報（提示情報）が診断装置１０によって提示され、生体測定装置２０ａの装着方法、測定方法などの案内が行われる。続いて、ステップＳ４では、ユーザの測定準備が完了した後に診断装置１０の制御により生体測定装置２０ａで測定が行なわれる。そして、ステップＳ５では、生体測定装置２０ａでの測定によって得られた測定結果を、診断装置１０が取得し、ステップＳ６に移る。
【００６０】
ステップＳ６では、診断装置１０での診断のために必要な測定が残っているかどうかが判定され、必要な測定が残っている場合（ステップＳ６でＹｅｓ）には、ステップＳ３に戻って、残った測定に用いる生体測定装置、ここでは生体測定装置２０ａ以外の例えば生体測定装置２０ｂに対してフローを繰り返す。また、必要な測定が残っていない場合（ステップＳ６でＮｏ）には、ステップＳ７に移る。そして、ステップＳ７では、診断装置１０が取得した測定結果に基づいて、診断装置１０によって診断が行なわれる。
【００６１】
続いてステップＳ８では、診断装置１０によって他の診断が必要と判断された場合（ステップＳ８でＹｅｓ）には、ステップＳ９に移る。また、他の診断が必要と判断されなかった場合（ステップＳ８でＮｏ）には、フローを終了する。ステップＳ９では、診断装置１０がユーザに対して他の診断の開始について問い合わせる案内を行う。他の診断の開始について問い合わせる案内については後に詳述する。続いて、ステップＳ１０では、ユーザが他の診断の開始を了承した場合（ステップＳ１０でＹｅｓ）には、ステップＳ１１に移る。また、ユーザが他の診断の開始を了承しなかった場合（ステップＳ１０でＮｏ）には、他の診断を行わずにフローを終了する。Ｓ１１では、他の診断に応じた診断処理を本フローと同様にして行う。
【００６２】
次に、図８を用いて、診断装置１０での動作フローの一例について説明を行う。図８は、診断装置１０での動作フローの一例を示す図である。ここでは、「定期（毎日）診断」を行う場合を例にとって、診断装置１０での動作フローの詳細な説明を行う。なお、ここでは、本定期診断は毎日夜１０時になると実行されるようにスケジュールされているものとする。
【００６３】
まず、ステップＳ２１では、診断制御部１０１の制御によって、ユーザに対して定期診断の開始について問い合わせる案内を、提示部１０８で行う。診断の開始について問い合わせる案内は、提示部１０８によって、音声案内と液晶表示とで行われる。本実施の形態では、診断装置１０を携帯電話に適用しているため、案内音声は、携帯電話の呼び出しに用いられるスピーカによって出力される。なお、携帯電話の呼び出しがバイブレータの設定になっている場合には、バイブレータによる振動と液晶表示とによって上記案内を行うようにしてもよい。
【００６４】
続いて、ステップＳ２２では、操作部１０９を介して診断の開始の了承（入力情報）を検出した場合（ステップＳ２２でＹｅｓ）には、ステップＳ２３に移る。また、診断の開始の了承を検出しなかった場合（ステップＳ２２でＮｏ）には、診断を行わずにフローを終了する。上記了承の検出は、例えばユーザによるボタンの押下などを操作部１０９で検出することによって行っている。
【００６５】
ステップＳ２３では、最初に行う血圧測定の案内を提示部１０８によって行い、ステップＳ２４に移る。上記血圧測定の案内は提示部１０８の液晶画面の表示によって行われ、液晶画面には血圧計の装着方法および測定方法の情報（提示情報）が提示される。また、提示部１０８の液晶画面に提示される血圧計の装着方法および測定方法の情報（提示情報）は、診断手順記憶部１１１に格納されていたものであって、診断制御部１０１によって当該情報が診断手順記憶部１１１から取り出されて提示部１０８の液晶画面に提示されるものである。
【００６６】
ステップＳ２４では、短距離無線通信部１０３によって血圧計（生体測定装置２０ａ〜２０ｄのうちの例えば生体測定装置２０ａとする）を検出すると、診断装置１０が短距離無線通信部１０３を介して血圧計に対して通信を行う。そして、ユーザの血圧測定の準備が完了したことを血圧計のボタン押下などによって検出すると、血圧計の測定動作を行わせるように、短距離無線通信部１０３を介して、外部装置制御部１０４が制御を行う。続いて、ステップＳ２５では、血圧計での測定が正常に終了すると、測定結果取得部１０５が、血圧計から短距離無線通信部１０３を介して測定結果の取得を行う。取得した測定結果は、生体情報記憶部１１０に記憶し、生体情報記憶部１１０の生体情報を更新する。そしてステップＳ２６に移る。
【００６７】
ステップＳ２６では、診断制御部１０１が、生体情報記憶部１１０に記憶された体重情報の更新日時と、期限記憶部１１２に記憶された体重情報の期限情報と、図示しない計時部から得られる現在時刻とをもとにして、生体情報記憶部１１０に記憶された体重情報が期限内の情報であるか否かの判定を行う。そして、生体情報記憶部１１０に記憶された体重情報が期限内の（有効期限が切れていない）情報であった場合（ステップＳ２６でＹｅｓ）には、ステップＳ３０に移る。また、生体情報記憶部１１０に記憶された体重情報が期限内の情報でなかった場合（ステップＳ２６でＮｏ）には、ステップＳ２７に移る。
【００６８】
ステップＳ２７では、体重測定の案内を提示部１０８によって行い、ステップＳ２８に移る。なお、体重測定の案内も血圧測定の案内と同様にして表示される。ステップＳ２８では、短距離無線通信部１０３によって体重計（生体測定装置２０ａ〜２０ｄのうちの例えば生体測定装置２０ｂとする）を検出すると、診断装置１０が短距離無線通信部１０３を介して体重計に対して通信を行う。そして、ユーザが体重計に乗って体重の測定が正常に終了すると、短距離無線通信部１０３を介して診断装置１０が体重測定の終了を検出する。そして、ステップＳ２９では、測定結果取得部１０５が、体重計から短距離無線通信部１０３を介して測定結果の取得を行う。取得した測定結果は、生体情報記憶部１１０に記憶し、生体情報記憶部１１０の生体情報を更新する。そしてステップＳ３０に移る。
【００６９】
ステップＳ３０では、診断制御部１０１が、生体情報記憶部１１０に記憶された体脂肪情報の更新日時と、期限記憶部１１２に記憶された体脂肪情報の期限情報と、図示しない計時部から得られる現在時刻とをもとにして、生体情報記憶部１１０に記憶された体脂肪情報が期限内の情報であるか否かの判定を行う。そして、生体情報記憶部１１０に記憶された体脂肪情報が期限内の（有効期限が切れていない）情報であった場合（ステップＳ３０でＹｅｓ）には、ステップＳ３５に移る。また、生体情報記憶部１１０に記憶された体脂肪情報が期限内の情報でなかった場合（ステップＳ３０でＮｏ）には、ステップＳ３１に移る。
【００７０】
ステップＳ３１では、体脂肪測定の案内を提示部１０８によって行い。ステップＳ３２に移る。なお、体脂肪測定の案内も血圧測定の案内と同様にして表示される。ステップＳ３２では、短距離無線通信部１０３によって体脂肪計（生体測定装置２０ａ〜２０ｄのうちの例えば生体測定装置２０ｃとする）を検出すると、診断制御部１０１が、診断条件記憶部１１３から体脂肪測定に必要な生体情報（この場合では、設定用情報ＩＤ「Ｗｅｉｇｈｔ」、「Ｈｅｉｇｈｔ」および「Ａｇｅ」）を特定する。そして、生体情報記憶部１１０から当該生体情報を読み出し、短距離無線通信部１０３を介して外部装置制御部１０４が当該生体情報を制御信号として体脂肪計に送信する。当該生体情報を制御信号として体脂肪計に送信することによって、体脂肪計での測定操作の設定が行なわれる。続いて、ステップＳ３３では、体脂肪計の測定操作が開始されて測定が正常に終了したことを、短距離無線通信部１０３を介して診断装置１０が検出する。そしてステップＳ３４では、測定結果取得部１０５が、体脂肪計から短距離無線通信部１０３を介して測定結果の取得を行う。取得した測定結果は、生体情報記憶部１１０に記憶し、生体情報記憶部１１０の生体情報を更新する。そしてステップＳ３５に移る。
【００７１】
ステップＳ３５では、生体情報記憶部１１０に記憶されている生体情報のうち、血圧測定、体重測定、および体脂肪測定の測定結果に対応する生体情報に基づいて、診断制御部１０１で診断を行う。この場合は定期診断なので、既知の診断基準によって、特定の疾患などが疑われる場合など、他の診断が必要か否かの診断（判断）を行う。そしてステップＳ３６に移る。ステップＳ３６では、他の診断が必要と判断された場合（ステップＳ３６でＹｅｓ）には、ステップＳ３７に移る。また、他の診断が必要と判断されなかった場合（ステップＳ３６でＮｏ）には、フローを終了する。
【００７２】
ステップＳ３７では、診断制御部１０１の制御によって、ユーザに対して他の診断の開始について問い合わせる案内を、提示部１０８で行う。診断の開始について問い合わせる案内は、ステップＳ１１の場合と同様にして行われる。続いて、ステップＳ３８では、操作部１０９を介して他の診断の開始の了承を検出した場合（ステップＳ３８でＹｅｓ）には、ステップＳ３９に移る。また、診断の開始の了承を検出しなかった場合（ステップＳ３８でＮｏ）には、診断を行わずにフローを終了する。上記了承の検出は、例えばユーザによるボタンの押下などを操作部１０９で検出することによって行っている。ステップＳ３９では、所定の診断を診断手順記憶部１１１から読み出して、所定の診断に応じた診断処理を本フローと同様にして行う。
【００７３】
なお、ステップＳ３２で短距離無線通信部１０３を介して外部装置制御部１０４によって体脂肪計（例えば生体測定装置２０ｃ）に送信される制御信号の一例を、図９を用いて示す。図９は、外部装置制御部１０４によって生体測定装置２０ｃに送信される制御信号の一例を示した図である。ここでは、制御信号をＸＭＬ形式で示している。また、制御信号のうち設定情報として「年齢」（Ａｇｅ）、「身長」（Ｈｅｉｇｈｔ）、および「体重」（Ｗｅｉｇｈｔ）を送信し、コマンドとしては「測定」（Ｍｅａｓｕｒｅ）を送信するようになっている。なお、「身長」および「体重」の設定情報については、「身長」および「体重」の測定日からの経過時間（Ｅｌａｐｓｅ）が属性として付与されており、「測定」のコマンドについては、測定タイミング（Ｔｉｍｅ）と精度（Ａｃｃｕｒａｃｙ）とが属性として付与されている。ここで属性として付与される精度（Ａｃｃｕｒａｃｙ）とは測定精度のことであって、体重に所定以上の変化が観察される場合などに、高い精度で体脂肪を測定するようにするなどといったように、適宜取得された測定結果などに基づいて設定されるものである。
【００７４】
この他にも、上記コマンドとしては、生体測定装置２０ａ〜２０ｄの電源を入れる「電源ＯＮ」、生体測定装置２０ａ〜２０ｄのシステムの立ち上げ（起動）を行う「ブートアップ」、生体測定装置２０ａ〜２０ｄのシステムの一時停止を行う「スリープ」、生体測定装置２０ａ〜２０ｄのシステムを停止させる「シャットダウン」、生体測定装置２０ａ〜２０ｄの較正（キャリブレーション）を行う「キャリブレーション」、および生体測定装置２０ａ〜２０ｄの電源を切る「電源ＯＦＦ」などが設定可能である。例えば、上記立ち上げまたは上記キャリブレーションに時間がかかる生体測定装置２０ａ〜２０ｄについては、測定開始前に予め、立ち上げ処理またはキャリブレーション処理を行うように制御信号を出力する構成にすると、測定時間が短縮できるので、より好ましい。また、例えば生体測定装置２０ａ〜２０ｄから診断装置１０が測定結果を取得して測定が終了した場合に、外部装置制御部１０４によって「電源ＯＦＦ」の制御信号を生体測定装置２０ａ〜２０ｄに送信し、生体測定装置２０ａ〜２０ｄの電源をオフにするといったことも可能になる。
【００７５】
また、生体測定装置２０ａ〜２０ｄでの測定と生体測定装置２０ａ〜２０ｄからの測定結果の収集とが終了した場合に、シャットダウンまたは電源ＯＦＦの制御信号を生体測定装置２０ａ〜２０ｄに出力する構成にすると、電源の切り忘れなどを防止することができるので、より好ましい。
【００７６】
さらに、生体測定装置２０ａ〜２０ｄから取得された測定結果に異常または履歴に対する変化が見られる場合には、ユーザに安静を促すメッセージを出力したうえで、一定時間後に精度を上げて再測定することが好ましい。この場合、具体的には提示部１０８にユーザに安静を促すメッセージを出力するとともに、一定時間後に再測定するよう測定タイミング（Ｔｉｍｅ）を設定し、精度（Ａｃｃｒａｃｙ）をＨｉｇｈにした制御信号を出力すればよい。これにより、ユーザが安静にした状態での生体情報を生体測定装置２０ａ〜２０ｄから取得することが可能になる。よって、ユーザの安静状態での精度の高い生体情報を取得することが可能になる。従って、診断装置１０または外部サーバ３０での上記生体情報に基づいた診断をより精度を高くして行うことが可能になる。なお、上記異常とは、例えば血圧の場合では、最高血圧または最低血圧が所定レベル以上または所定レベル以下の場合を表している。さらに、この場合、サンプリング数または量子化の解像度を増やし、カフ圧の変化速度を遅くするなどして精度を上げて測定することが好ましい。ここで言うところの、上記所定レベルとは、健康の指標として任意に設定されるものである。また、上記履歴に対する変化とは、過去の履歴（体重、血圧など）の密度分布に比べて値が逸脱している（所定の尤度以下）こと、または特異度の変化が認められることを表している。また、周期性のある生体情報（脈または体温）であれば、履歴から得られた周期性からのずれに該当するものである。
【００７７】
また、図１０を用いて、短距離無線通信部１０３によって所定の生体測定装置２０ａ〜２０ｄが通信範囲内に検出できなかった場合に、提示部１０８の表示画面に提示される案内の例を示す。図１０は、提示部１０８の表示画面に提示される案内例を示す図である。図１０では、生体測定装置２０ｂが体重計であった場合を例としている。図１０に示すように、短距離無線通信部１０３によって所定の生体測定装置２０ａ〜２０ｄが通信範囲内に検出できなかった場合には、生体測定装置２０ａ〜２０ｄの電源が入っているかの確認、および生体測定装置２０ａ〜２０ｄとの通信範囲内までの接近などをユーザに促すメッセージを上記表示画面に提示すればよい。
【００７８】
なお、本実施の形態では、診断装置１０で診断を行う構成を示したが、必ずしもこれに限らない。例えば、診断装置１０が取得した測定結果を、広域無線通信部１０６を介して外部サーバ３０に送信し、外部サーバ３０において診断行う構成であってもよい。これにより、より膨大な情報および処理が必要な高度な診断を行うことが可能となる。
【００７９】
また、本実施の形態では、ステップＳ１およびステップＳ２１で診断の開始について問い合わせが行われる場合に、「診断を開始する」と「診断を開始しない」との２つのうちから選択する構成を示したが、必ずしもこれに限らない。以下に図１１を用いて他の構成例を示す。図１１は、診断の開始について問い合わせが行われる場合に、液晶表示画面に表示される案内の例である。本実施の形態では、図１１に示すように、診断を開始する「はい」の選択、診断を行わない「今日の診断はパス」の選択、診断を先延ばしにする「もう少し後でまた通知」の選択のいずれかを行うことができるようになっていてもよい。この場合、図７のフローでは、ステップＳ２で診断を先延ばしにする「もう少し後でまた通知」の選択がなされたときに、所定の時間経過後にステップＳ１に戻ってフローを繰り返す構成にすればよい。また、図８のフローでは、ステップＳ２２で診断を先延ばしにする「もう少し後でまた通知」の選択がなされたときに、所定の時間経過後にステップＳ２１に戻ってフローを繰り返す構成にすればよい。
【００８０】
なお、本実施の形態では、ステップＳ９およびステップＳ３７で他の診断の開始について問い合わせが行われる場合に、「診断を開始する」と「診断を開始しない」との２つのうちから選択する構成を示したが、必ずしもこれに限らない。以下に図１２を用いて他の構成例を示す。図１２は、他の診断の開始について問い合わせが行われる場合に、液晶表示画面に表示される案内の例である。本実施の形態では、図１２に示すように、診断を開始する「はい」の選択、診断を行わない「しばらく結構」の選択、診断を先延ばしにする「後日また通知」の選択のいずれかを行うことができるようになっていてもよい。この場合、図７のフローでは、ステップＳ１０で診断を先延ばしにする「もう少し後でまた通知」の選択がなされたときに、所定の時間経過後にステップＳ９に戻ってフローを繰り返す構成にすればよい。また、図８のフローでは、ステップＳ３８で診断を先延ばしにする「後日また通知」の選択がなされたときに、所定の時間経過後にステップＳ３７に戻ってフローを繰り返す構成にすればよい。なお、この時必要と判断された所定の診断手順が診断手順記憶部１１１に記憶されていない場合、診断制御部１０１は、広域無線通信部１０６を介して外部サーバ３０より適切な診断手順を取得し、診断手順記憶部１１１に記憶する構成にすればよい。
【００８１】
また、本実施の形態では、図６に示したような生体測定装置２０ａ〜２０ｄによる測定の手順が提示部１０８に提示される構成になっているが、必ずしもこれに限らない。例えば、図１３に示すように、提示部１０８には、生体測定装置２０ａ〜２０ｄによる測定の手順の案内のみでなく、所定の診断を行うために必要なユーザへの指示、および生体測定装置２０ａ〜２０ｄによる測定状況なども随時提示する構成であってもよい。
図１３は、図６の体力診断の診断手順に従った制御が診断制御部１０１によって行われた場合に、提示部１０８に提示される画面の遷移を示した図である。なお、図６の体力診断の手順では、血圧および脈波測定を踏み台昇降後に３回行うフローとなっているが、踏み台昇降前の心拍の１５０％など、所定の脈拍になるまで間欠的に測定を行うようにしてもよい。
【００８２】
なお、本実施の形態では、短距離無線通信部１０３を介して診断装置１０と生体測定装置２０ａ〜２０ｄとが無線通信を行う構成になっているが、必ずしもこれに限らない。例えば、有線通信を行う構成であってもよい。ただし、無線通信を行う構成であった方が好ましい。これは、診断装置１０の持ち運び時に通信用のケーブルが邪魔にならないなど、無線通信を行う構成の方が利便性に優れているためである。
【００８３】
また、本実施の形態では、生体測定装置２０ａ〜２０ｄの４つを示しているが、必ずしもこれに限らず、複数であれば４つ以下でもよいし、４つよりも多くてもよい。
【００８４】
本実施の形態の診断装置１０は、生体情報を測定する生体測定装置２０ａ〜２０ｄとの間で通信を行う短距離無線通信部１０３と、短距離無線通信部１０３を介して生体測定装置２０ａ〜２０ｄに制御信号を出力することによって、生体測定装置２０ａ〜２０ｄの測定動作を制御する測定制御部１１４とを備え、測定制御部１１４は、複数の生体測定装置２０ａ〜２０ｄから得られる測定結果が必要な診断を行うための上記測定結果が得られるように、複数の生体測定装置２０ａ〜２０ｄの測定動作を制御することを特徴としている。
【００８５】
以上の構成によれば、所定の診断に必要な測定および生体測定装置２０ａ〜２０ｄの設定が無線通信によって自動的になされる。また、生体測定装置２０ａ〜２０ｄによる測定に関する情報を提示する提示部１０８をさらに備えれば、ユーザに必要な案内も提示されるようになるため、容易に所定の診断に必要な測定をユーザが行うことが可能となる。
【００８６】
また、本実施の形態の診断装置１０は、生体情報記憶部１１０に記憶されている測定結果の、前記診断での使用期限の指標である期限情報を記憶する期限記憶部１１２をさらに備え、測定制御部１１４は、上記診断を行う場合に、期限記憶部１１２に記憶されている上記期限情報に基づいて、新たに生体測定装置２０ａ〜２０ｄから測定結果を取得することによって生体情報記憶部１１０に記憶されている測定結果を更新するか否かの判定を行うことが好ましい。
【００８７】
これにより、各測定時に生体情報記憶部１１０に記憶された生体情報を随時更新し、有効期限内は新しく生体情報を更新せずに使用し、測定を省略することができるため、ユーザにとって利便性が向上する。
【００８８】
なお、診断装置１０では、生体測定装置２０ａ〜２０ｄで測定した測定結果である生体情報を、短距離無線通信部１０３によって受信する際に、暗号化通信を行うように通信パラメータを設定する構成にすることが好ましい。これにより、プライベートな情報である生体情報の内容を第３者に知られる危険性を低減させることができる。
【００８９】
また、本実施の形態では、診断装置１０を携帯電話に適用した例を示したが、必ずしもこれに限らず、診断装置１０を携帯電話以外に適用してもよい。例えば、ＰＤＡ（Ｐｅｒｓｏｎａｌ  Ｄｉｇｉｔａｌ  Ａｓｓｉｓｔａｎｔ）などの、より表示および入力機能が充実した機器を用いてもよい。診断装置１０をＰＤＡに適用した場合は、携帯電話に比べると携帯性において劣る可能性はあるが、操作性および提示能力においては、ユーザにとって、より使い勝手の良いものとなる。
【００９０】
最後に、診断装置１０の各ブロック、特に診断制御部１０１、短距離無線通信部１０３、外部装置制御部１０４、測定結果取得部１０５、広域無線通信部１０６、およびＵＩ部１０７は、ハードウェアロジックによって構成してもよいし、次のようにＣＰＵを用いてソフトウェアによって実現してもよい。
【００９１】
すなわち、診断装置１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである診断装置１０の制御プログラムのプログラムコード（実行形式プログラム、中間コードプログラム、ソースプログラム）をコンピュータで読取り可能に記録した記録媒体を、診断装置１０に供給し、そのコンピュータ（またはＣＰＵやＭＰＵ）が記録媒体に記録されているプログラムコードを読み出し実行することによっても、達成可能である。
【００９２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９３】
また、診断装置１０を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００９４】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９５】
以上のように、本発明の制御装置、そのプログラムおよび該プログラムを記録したコンピュータ読取り可能な記録媒体、診断システムならびに制御装置における制御方法は、測定機器からの複数の測定データが必要な診断において、必要な測定をユーザがより容易に実施できるようにする。したがって、本発明は、測定機器からの測定データに基づいて診断を行う制御装置に関連する産業分野に好適に用いることができる。
【図面の簡単な説明】
【００９６】
【図１】本発明における診断装置の概略的構成を示す機能ブロック図である。
【図２】本発明における診断システムの実施の一形態を示す概略図である。
【図３】上記診断装置の生体情報記憶部に記憶されている生体情報の一例を示す図である。
【図４】上記診断装置の期限記憶部に記憶されている生体情報の使用期限の一例を示す図である。
【図５】上記診断装置の診断条件記憶部に記憶されている診断条件の一例を示す図である。
【図６】上記診断装置の診断手順記憶部に記憶されている診断手順の一例を示す図である。
【図７】上記診断システムでの動作フローの一例を示す図である。
【図８】上記診断装置での動作フローの一例を示す図である。
【図９】上記診断装置の外部装置制御部によって生体測定装置に送信される制御信号の一例を示した図である
【図１０】所定の生体測定装置が通信範囲内に検出できなかった場合に上記診断装置の提示部の表示画面に提示される案内例を示す図である。
【図１１】上記診断装置の提示部の表示画面に提示する診断の開始についての問い合わせの例を示す図である。
【図１２】上記診断装置の提示部の表示画面に提示する他の診断の開始についての問い合わせの例を示す図である。
【図１３】上記診断装置の提示部に提示される画面の遷移例を示す図である。
【符号の説明】
【００９７】
１            診断システム
１０            診断装置（制御装置）
２０ａ〜２０ｄ  生体測定装置（測定機器）
３０            外部サーバ（外部のサーバ）
１０１            診断制御部
１０２            診断用情報記憶部
１０３            短距離無線通信部（第１通信手段）
１０４            外部装置制御部
１０５            測定結果取得部（測定結果取得手段）
１０６            広域無線通信部（第２通信手段）
１０７            ＵＩ部
１０８            提示部（提示手段）
１０９            操作部
１１０            生体情報記憶部（測定結果記憶部）
１１１            診断手順記憶部
１１２            期限記憶部
１１３            診断条件記憶部（測定項目記憶部）
１１４            測定制御部（測定制御手段）
１１５            診断部（診断手段）
【図１】
2008006001.tif 000003
【図２】
2008006001.tif 000004
【図３】
2008006001.tif 000005
【図４】
2008006001.tif 000006
【図５】
2008006001.tif 000007
【図６】
2008006001.tif 000008
【図７】
2008006001.tif 000009
【図８】
2008006001.tif 000010
【図９】
2008006001.tif 000011
【図１０】
2008006001.tif 000012
【図１１】
2008006001.tif 000013
【図１２】
2008006001.tif 000014
【図１３】
2008006001.tif 000015